(57)【要約】【課題】  被写体と可搬型放射線受像部との距離を常に最小限にしながら、散乱線除去手段及び自動露出制御検出手段の使用又は不使用の組み合わせを任意に選択する。【解決手段】  本体１の一側面には開口部１ａが設けられ、この開口部１ａを開閉するためのカバー３がヒンジ４により支持されている。本体１の内部には、放射線発生器２側からグリッド５と放射線検出器６が順次に配置され、放射線検出器６の背後は放射線デジタル受像器７が収納可能な空間８が確保されている。  本体１の内部には、グリッド５及び放射線検出器６を放射線の照射方向に摺動するよう案内するガイド部材が設けられていて、グリッド５及び放射線検出器６を使用せずに被写体Ｓを撮影する場合には、カバー３を開けて、グリッド５及び放射線検出器６を空間８の被写体Ｓから遠去ける方向に摺動し空間を形成した後に、この空間内にデジタル受像器７を装着し、カバー３を閉じて撮影を行う。【選択図】図１
2005087255.tif 000002
【特許請求の範囲】
【請求項１】
被写体を透過した放射線による放射線透過像を得る放射線受像部を着脱自在に収納すると共に、該放射線受像部の前方又は後方又は双方に第１の手段である散乱線除去手段と放射線自動露出制御のための第２の手段である放射線検出手段との少なくとも一方を内蔵した放射線受像部収納装置において、前記第１、第２の手段の少なくとも一方を前後に摺動を可能とする案内部材を有し、前記放射線受像部と前記第１、第２の手段との前後方向の配置順序を入れ換え可能としたことを特徴とする放射線受像部収納装置。
【請求項２】
前記第１、第２の手段は前記放射線受像部から離れないように摺動可能とした請求項１に記載の放射線受像部収納装置。
【請求項３】
前記放射線受像部は、放射線をその強度に応じた電荷に変換する固体検出素子を二次元状に配置した放射線像検出器と、該放射線像検出器から信号を読み取る信号読取回路とから成る請求項１に記載の放射線受像部収納装置。
【請求項４】
前記第１、第２の手段の配置順序を検出する配置検出手段と、前記第１、第２の手段を固定するロック手段と、撮影部位に関する情報又は前記第１、第２の手段の有無に関する情報と前記配置検出手段の検出結果に基づいて前記ロック手段を制御するロック制御手段とを有する請求項１に記載の放射線受像部収納装置。
【請求項５】
前記第１、第２の手段を摺動させる駆動手段と、撮影部位に関する情報又は前記第１、第２の手段の有無に関する情報に基づいて前記駆動手段を制御する駆動制御手段とを有する請求項１に記載の放射線受像部収納装置。
【請求項６】
前記第１、第２の手段は筐体内に保持し、該筐体を前記案内部材により摺動するようにした請求項１に記載の放射線受像部収納装置。
【発明の詳細な説明】
【技術分野】
【０００１】
本発明は、可搬型放射線受像部を着脱自在に収納すると共に、散乱線除去手段又は（及び）放射線自動露出制御の放射線検出手段を内蔵する放射線受像部収納装置に関するものである。
【背景技術】
【０００２】
特許文献１には、グリッド等の散乱線除去手段や自動露出制御手段を使用した撮影と、それらを使用しない撮影とを選択することができる放射線撮影装置が開示されている。
【０００３】
また特許文献２は、グリッドの着脱が可能であり、グリッドを使用しない撮影に際しては、被写体とこの被写体を透過した放射線を検出する放射線検出部との距離を極力小さくすることにより、ぼけが少ない画像を取得することができる放射線撮影装置が開示されている。
【０００４】
また、従来から放射線写真フィルムや蓄積性蛍光体シートを収納した可搬型筐体、所謂カセッテのみを装着して被写体の撮影を行うカセッテ収納装置や、グリッド、自動露出制御手段を有するカセッテ収納装置も製品化されており、撮影条件に応じて使い分けられている。また、グリッドや自動露出制御手段を使用しない撮影の場合には、カセッテを収納装置に装着することなく、カセッテそのものを被写体に保持させたり、グリッドや自動露出制御手段を有しないカセッテ収納装置を利用して撮影が行われている。
【０００５】
更に、被写体を透過した放射線をデジタル信号として検出するために、固体検出素子を二次元状に配置した放射線デジタル検出器を用いた撮影装置も製品化されている。
【０００６】
【特許文献１】特開２０００−１３９８８７号公報
【特許文献２】特開２００１−１９８１１６号公報
【発明の開示】
【発明が解決しようとする課題】
【０００７】
しかしながら、従来の放射線受像部収納装置においは、グリッドや自動露出制御手段を入れ換えすることが困難であり、これらの入れ換え作業に多くの時間と労力を要している。
【０００８】
本発明の目的は、上述の課題を解決し、被写体と可搬型放射線受像部との距離を常に最小限にしながら、散乱線除去手段及び自動露出制御の検出手段の使用又は不使用の任意の組み合わせを容易に実現できる放射線受像部収納装置を提供することにある。
【課題を解決するための手段】
【０００９】
上記目的を達成するための本発明に係る放射線受像部収納装置は、被写体を透過した放射線による放射線透過像を得る放射線受像部を着脱自在に収納すると共に、該放射線受像部の前方又は後方又は双方に第１の手段である散乱線除去手段と放射線自動露出制御のための第２の手段である放射線検出手段との少なくとも一方を内蔵した放射線受像部収納装置において、前記第１、第２の手段の少なくとも一方を前後に摺動を可能とする案内部材を有し、前記放射線受像部と前記第１、第２の手段との前後方向の配置順序を入れ換え可能としたことを特徴とする。
【発明の効果】
【００１０】
本発明に係る放射線受像部収納装置は、散乱線除去手段及び自動露出制御のための放射線検出手段の使用又は不使用の組み合わせを任意に選択しながら、被写体と放射線受像部との距離を最小限にする撮影形態を、同一の装置で容易に実現することができる。
【実施例１】
【００１１】
図１は実施例１における放射線受像部収納装置の要部の上方から見た断面図、図２は側方から見た断面図を示しており、放射線受像部収納装置の本体１は放射線発生器２の前方に、被写体Ｓを介して配置されている。本体１の一側面には開口部１ａが設けられ、この開口部１ａを開閉するためのカバー３がヒンジ４により支持されている。
【００１２】
本体１の内部には、放射線発生器２側からグリッド５、自動露出制御のための放射線検出器６が順次に配置され、この放射線検出器６の背後には可搬型の放射線デジタル受像器７が収納可能な空間８が確保されている。更に本体１の内部には、グリッド５及び放射線検出器６を放射線の照射方向、つまり前後方向に摺動するように案内するガイド部材９が、グリッド５及び放射線検出器６を上下から挟むように配置されている。
【００１３】
グリッド５は被写体Ｓの散乱線を除去するためのものであり、放射線検出器６の前面に静止して配置されている。一方、放射線デジタル受像器７の内部には、放射線像検出器７ａと読取回路７ｂが積層して配列され、読取回路７ｂは放射線像検出器７ａに接続され、放射線像検出器７ａから信号を読み出すようになっている。
【００１４】
グリッド５及び放射線検出器６を使用して被写体Ｓを撮影する際には、カバー３を開けて、空間８に可搬型の放射線デジタル受像器７を装着し、カバー３を閉じて撮影を行う。
【００１５】
グリッド５及び放射線検出器６を使用せずに被写体Ｓを撮影する場合には、カバー３を開けて、図３に示すようにグリッド５及び放射線検出器６を被写体Ｓから遠去ける方向に摺動し、グリッド５の前方に放射線デジタル受像器７が収納可能な空間１０を形成した後に、この空間１０内にデジタル受像器７を装着し、カバー３を閉じて撮影を行う。
【００１６】
グリッド５のみを使用し、放射線検出器６を使用せずに被写体Ｓを撮影する場合には、カバー３を開けて、図４に示すように放射線検出器６のみを被写体Ｓから遠去ける方向に摺動し、グリッド５と放射線検出器６とに挟まれた位置に放射線デジタル受像器７が収納可能な空間１１を形成した後に、この空間１１内にデジタル受像器７を装着し、カバー３を閉じて撮影を行う。
【００１７】
また、グリッド５を使用せずに放射線検出器６のみを使用して被写体Ｓを撮影する際には、カバー３を開けて、図５に示すようにグリッド５を一旦本体１から取り出した後に、放射線検出器６のみを被写体Ｓ側に摺動させる。続いて、本体１の内部の右側にグリッド５を装着し、グリッド５と放射線検出器６とに挟まれた位置に、放射線デジタル受像器７が収納可能な空間１２を形成した後に、この空間１２内にデジタル受像器７を装着し、カバー３を閉じて撮影を行う。
【００１８】
このように実施例１においては、放射線デジタル受像器７の装着位置を任意に選択できるため、１つの放射線受像部収納装置において、グリッド５、放射線検出器６の使用又は不使用の組み合わせを任意に実現できる。また、何れの組み合わせが選択されても被写体Ｓに対して不要な空間を設けることなくデジタル受像器７を配置することができる。更に、図１〜図４においては、本体１からグリッド５や放射線検出器６を取り出す操作が不要である。
【００１９】
なお実施例１では、本体１の内部にグリッド５及び放射線検出器６の両方が設けられているが、何れか一方のみを設けるようにしてもよい。なお、グリッド５及び放射線検出器６の摺動による配置変更について述べたが、元々、撮影部位に応じてグリッド５や放射線検出器６の最適な組合わせが存在することは、撮影前に撮影部位の情報が与えられれば、最適な組合わせやその有無を選択できることになる。例えば、撮影毎にグリッド５や放射線検出器６を撮影部位に最適な特性を有するものと入れ換えることもでき、グリッド５の場合はグリッド密度、グリッド比、焦点距離を選択し、放射線検出器６の場合には採光野の形状、位置を最適なものに選択すればよい。
【００２０】
更に、放射線受像部収納装置に着脱自在に収納される可搬型の放射線受像部として放射線デジタル受像器７を用いたが、このデジタル受像器７の代りに、例えば放射線写真フィルム又は蓄積性蛍光体シートを収容したカセッテを用いることもできる。
【００２１】
図６はこの放射線受像部収納装置を使用した撮影システムの概略図を示しており、放射線発生器２の前方には架台２１の可動部２１ａに支持された放射線受像部収納装置の本体１が配置されている。この本体１には、被覆２２ａにより保護された可撓ケーブル２２を介して制御部２３が接続されている。この制御部２３の筐体２４の内部には、撮影システムの制御と画像処理を行う制御処理部２５と電源部２６が配置され、制御処理部２５にはモニタ等の表示部２７が接続されている。制御処理部２５は放射線デジタル受像器７の内部に設けられた読取回路７ｂから供給されたデジタル信号のノイズ低減やエッジ強調等のフィルタリング処理を行い、電源部２６は放射線像検出器７ａ、読取回路７ｂ及び制御処理部２５に電源を供給するようになっている。
【００２２】
本体１は架台２１の可動部２１ａにより上下方向に移動可能であり、被写体Ｓの最適位置に固定して撮影を行う。
【実施例２】
【００２３】
図７は実施例２における要部の上方から見た断面図、図８は側方から見た断面図を示しており、実施例１と同一の部材には同一の符号を付している。本実施例２においては実施例１と同様に、放射線受像部収納装置の本体３１の一側面には開口部３１ａが設けられ、この開口部３１ａを開閉するためのカバー３２がヒンジ３３を介して本体３１に支持されている。
【００２４】
本体３１の内部には、グリッド５、放射線検出器６の周囲をそれぞれ保持する枠状の筐体３４、３５が放射線発生器２側から順次に配置され、グリッド５、放射線検出器６がそれぞれ収納保持されている。また、筐体３５の後方には放射線デジタル受像器７を収納可能な空間３６が確保されている。また、本体３１の内部には、筐体３４、３５を前後方向に摺動可能に案内するガイド部材３７が、筐体３４、３５を上下から挟むように配置されている。
【００２５】
グリッド５及び放射線検出器６の使用又は不使用の組み合わせを選択する場合において、実施例１ではグリッド５及び放射線検出器６を直接に摺動させていたが、本実施例２においては筐体３４、３５を介して摺動する。
【００２６】
本実施例２では、実施例１と同様な効果を達成できるが、筐体３４、３５の扱いは容易なので、実施例１よりもグリッド５や放射線検出器６を容易に入れ換えることができる。
【００２７】
なお、本実施例２においては２つの筐体３４、３５を用いたが、グリッド５及び放射線検出器６を１つの枠状の筐体に収納保持させて摺動させてもよい。なお、この場合にはグリッド５と放射線検出器６を分離できないという制約はある。
【実施例３】
【００２８】
図９は実施例３における要部の上方から見た断面図、図１０は側方から見た断面図を示しており、基本的な構成は実施例１と同様であるが、本実施例３においては、本体４１の前後方向の寸法Ｌは実施例１の本体１よりも大きくなっている。また、本体４１の後面には一端にハンドル４２を有し、他端には回転板４３を有し、本体４１に螺合する回転軸４４が設けられている。ハンドル４２を回転すると、回転板４３も回転しながら本体４１に対し前後方向に移動するようにされている。
【００２９】
グリッド５及び放射線検出器６の使用又は不使用の組み合わせを選択する場合には、先ずハンドル４２を回転させて回転板４３を後方に移動し、図１の空間８よりも広い空間４５を形成する。続いて実施例１と同様に、グリッド５及び放射線検出器６を所望の位置に摺動し、空間４５内に放射線デジタル受像器７を装着した後に、ハンドル４２を先の回転方向とは逆方向に回転させて、回転板４３を前方に移動させ、図１１に示すように、デジタル受像器７を前方に押してグリッド５と放射線検出器６とデジタル受像器７を密接させることができる。
【００３０】
このように、本実施例３では実施例１と同様な効果を達成できるが、空間４５が広いため、放射線デジタル受像器７を容易に装着することができる。
【実施例４】
【００３１】
図１２は実施例４における要部の上方から見た断面図、図１３は側方から見た断面図を示している。この放射線受像部収納装置の基本的な構成は実施例２に示した放射線受像部収納装置と同様である。本体５１の内部には、グリッド５及び放射線検出器６を保持するための枠状の筐体３４、３５を放射線の照射方向の所定の位置Ａ、Ｂ、Ｃに固定するロック機構５２ａ〜５２ｃと、これらのロック機構５２ａ〜５２ｃの作動を制御するロック制御器５３が設けられている。
【００３２】
また、これらのロック機構５２ａ〜５２ｃの上部側方にはグリッド５を保持する枠状の筐体３４が位置Ａ、Ｂ、Ｃの何れの位置にあるかを検出する検知機構５４ａ〜５４ｃが設けられ、ロック機構５２ａ〜５２ｃの下部側方には放射線検出器６を保持する枠状の筐体３５が位置Ａ、Ｂ、Ｃの何れの位置にあるかを検出する検知機構５５ａ〜５５ｃが設けられている。
【００３３】
図１４は本実施例４の撮影システムにおける制御フローチャート図を示している。先ずステップＳ１において、撮影すべき部位が図６に示す表示部２７に付随する入力部を介して制御処理部２５へ入力される。続いてステップＳ２において、予め制御処理部２５に記憶されている撮影部位に応じたグリッド５及び放射線検出器６の使用又は不使用の組み合わせの中から、入力された撮影部位に応じたグリッド５及び放射線検出器６の配置情報が検索、決定される。
【００３４】
ステップＳ３において、検知機構５４、５５により、グリッド５及び放射線検出器６を保持する筐体３４、３５のそれぞれの位置が検出され、その位置情報が制御処理部２５に送信される。そしてステップＳ４において、制御処理部２５により選択された配置情報と送信された位置情報とが一致しているか否かを判断し、一致していると判断した場合にはステップＳ５に進み、制御処理部２５からロック制御器５３に指令信号が送信され、ステップＳ６においてロック制御器５３がロック機構５２を作動させて、ステップＳ７において本体５１に筐体３４、３５を固定する。
【００３５】
一方、ステップＳ４において制御処理部２５により選択された配置情報と送信された位置情報とが一致していないと判断されると、ステップＳ８において制御処理部２５からロック制御器５３に指令信号が送信され、ステップＳ９においてロック制御器５３がロック機構５２を作動させて、筐体３４、３５の本体５１への固定を解除する。同時に、ステップＳ１０において制御処理部２５から表示部２７に配置変更指示信号が送信され、ステップＳ１１において表示部２７がグリッド５及び放射線検出器６の最適な配置情報を表示する。
【００３６】
このように、本実施例４においては撮影部位に応じた最適な配置条件下でグリッド５及び放射線検出器６が固定されるので、誤った配置での撮影を防止することができる。更に、撮影部位に応じた最適な配置条件にない場合にも、実施例４のように配置変更を示唆するような表示をすることによりユーザに注意を促したり、或いは撮影不可能とすることにより誤った配置での撮影を防止することもできる。
【実施例５】
【００３７】
図１５は実施例５における要部の上方から見た断面図、図１６は側方から見た断面図を示している。本実施例における放射線受像部収納装置の基本的な構成は実施例２に示す放射線受像部収納装置と同様である。本体６１の内部には、グリッド５及び放射線検出器６を保持する枠状の筐体３４、３５をそれぞれ放射線の照射方向に摺動させる駆動機構６２ａ、６２ｂと、これらの駆動機構６２ａ、６２ｂの作動を制御する駆動制御器６３が設けられている。更に、駆動機構６２ａ、６２ｂは筐体３４、３５の摺動方向の位置を検出する図示しない位置検出器を有している。
【００３８】
図１７は本実施例５における撮影システムの制御フローチャート図を示し、実施例４と同様に、先ずステップＳ２１において図６に示す表示部２７に撮影しようとする被写体Ｓの部位が、付随する入力部を介して制御処理部２５へ入力される。次に、ステップＳ２２において予め制御処理部２５に記憶されている撮影部位に応じたグリッド５及び放射線検出器６の使用又は不使用の組み合わせの中から入力された撮影部位に応じたグリッド５及び放射線検出器６の配置情報が検索、決定される。
【００３９】
ステップＳ２３において、先の図示しない位置検出器により筐体３４、３５のそれぞれの位置が検出され、その位置情報が制御処理部２５に送信される。そして、ステップＳ２４において制御処理部２５により選択された配置情報と送信された位置情報とが一致しているか否かを判断し、一致している場合にはステップＳ２５に進み、制御処理部２５から駆動制御器６３へ指令信号が送信される。続いて、ステップＳ２６において駆動制御器６３が駆動機構６２ａ、６２ｂを作動させることなく現配置を維持する。
【００４０】
一方、ステップＳ２４において制御処理部２５により選択された配置情報と送信された位置情報とが一致していない場合には、ステップＳ２７において制御処理部２５から駆動制御器６３へ指令信号が送信され、ステップＳ２８、Ｓ２９において先の位置検出器の検出結果に基づいて筐体３４、３５が所望の配置になるまで駆動制御器６３が駆動機構６２ａ、６２ｂをスライド作動させた後に、ステップＳ３０において所望の位置で停止する。
【００４１】
このように、本実施例５では、グリッド５及び放射線検出器６を自動的に摺動させるので、実施例４と同様に誤った配置での撮影を防止し操作性を向上することができる。
【００４２】
なお、上述の実施例４、５では、筐体３４、３５の代りにグリッド５及び放射線検出器６そのものを、本体５１に固定したり、摺動するようにすることもできる。また、撮影部位を入力する代りにグリッド５や放射線検出器６の使用有無をそのまま入力するようにしてもよい。
【図面の簡単な説明】
【００４３】
【図１】実施例１の放射線受像部収納装置の上方から見た断面図である。
【図２】側方から見た断面図である。
【図３】上方から見た断面図である。
【図４】上方から見た断面図である。
【図５】上方から見た断面図である。
【図６】撮影システムの概略図である。
【図７】実施例２の放射線受像部収納装置の上方から見た断面図である。
【図８】側方から見た断面図である。
【図９】実施例３の放射線受像部収納装置の上方から見た断面図である。
【図１０】側方から見た断面図である。
【図１１】上方から見た断面図である。
【図１２】実施例４の放射線受像部収納装置の上方から見た断面図である。
【図１３】側方から見た断面図である。
【図１４】制御フローチャート図である。
【図１５】実施例５の放射線受像部収納装置の上方から見た断面図である。
【図１６】側方から見た断面図である。
【図１７】制御フローチャート図である。
【符号の説明】
【００４４】
１、３１、４１、５１、６１  本体
２  放射線発生器
３、３２  カバー
４、３３  ヒンジ
５  グリッド
６  放射線検出器
７  放射線デジタル受像器
９、３７  ガイド部材
３４、３５  筐体
Ｓ  被写体
【図１】
2005087255.tif 000003
【図２】
2005087255.tif 000004
【図３】
2005087255.tif 000005
【図４】
2005087255.tif 000006
【図５】
2005087255.tif 000007
【図６】
2005087255.tif 000008
【図７】
2005087255.tif 000009
【図８】
2005087255.tif 000010
【図９】
2005087255.tif 000011
【図１０】
2005087255.tif 000012
【図１１】
2005087255.tif 000013
【図１２】
2005087255.tif 000014
【図１３】
2005087255.tif 000015
【図１４】
2005087255.tif 000016
【図１５】
2005087255.tif 000017
【図１６】
2005087255.tif 000018
【図１７】
2005087255.tif 000019